(57)【特許請求の範囲】
【請求項１】
操縦席３の前側のダッシュボード７と側部のサイドボード２４とを一連の鉤形状に形成して、前記サイドボ−ド２４に変速レバーと刈取脱穀クラッチレバーとを配置する一方、前記ダッシュボード７上の外側寄り位置に操向操作と刈取装置の上下動を行うパワステレバー３２を設け、該パワステレバ−３２の後側上部にパワステハンドル３７を横向きに架設し、前記ダッシュボ−ド７とサイドボ−ド２４とが交差する隅部においてモニタ−４３を操縦席３の側に向けて設置し、前記操縦席３と該操縦席３前側のフロア２３とダッシュボ−ド７とサイドボ−ド２４との上側を覆うキャビン４を設けるにあたり、該キャビン４の外側部に開閉するドア２５を設け、該キャビン４の前側に前記ダッシュボ−ド７の上面と上方のル−フ２６との間に亘る開閉可能のフロントガラス５を設け、該キャビン４の後側にエンジンル−ム１３上面とル−フ２６との間に亘って開閉可能のリヤガラス２７を設け、該キャビン４の内側部にサイドボ−ド２４上面とル−フ２６との間に亘って開閉可能のサイドガラス２８を設けるものとし、前記フロントガラス７の上端縁部をルーフ２６の前端下部のヒンジ６回りに回動自在に取り付けて、該フロントガラス７の下端縁部をダッシュボード７の上面から前方上部に向けて開き回動できるように構成するにあたり、該フロントガラス５の下端部内面に開閉操作用のグリップ８を取付け、該グリップ８の中央部分を湾曲させて前記パワステハンドル３７とほぼ同じ高さに且つほぼ同じ前後位置に揃えて配置して、該パワステハンドル３７とグリップ８との間に間隔Ｌを形成して該パワステハンドル３７とグリップ８とを操縦者が左右の各々の手で把持し易い関係位置に設置すると共に操縦者がフロア２３上に立ち上った姿勢で前側の刈取装置２部の刈取状態を監視する場合に該グリップ８を容易に把持できるものとし、該グリップ８のサイドガラス２８側端とサイドボード２４との間に伸縮自在のスプリングダンパー４２を設けてフロントガラス５の開閉位置を支持しうる構成としたことを特徴とするコンバインの操縦装置。
【発明の詳細な説明】
【０００１】
【発明の属する技術分野】
この発明は、コンバインの操縦装置に関し、操縦席や操作機構を配置するダッシュボード等を覆うキャビンを有するコンバインに利用しうる。
【０００２】
【従来の技術】
コンバインのキャビンは、前側に昇降可能の刈取装置が配置されることが多い。
【発明が解決しようとする課題】
上述のように、コンバインのキャビンは、前側に昇降可能の刈取装置が配置されることが多く、フロントガラスをダッシュボードから前方へ大きく突出させることができ難く、又、このキャビンを有したダッシュボード上面の前後幅も狭くなりがちで、操作機構類の配置も制限され易い。このため、キャビンのフロントガラスを開閉するためのグリップ乃至ハンドル等をこのキャビン室内側に配置し難いものである。
【０００３】
【課題を解決するための手段】
この発明は、操縦席３の前側のダッシュボード７と側部のサイドボード２４とを一連の鉤形状に形成して、前記サイドボ−ド２４に変速レバーと刈取脱穀クラッチレバーとを配置する一方、前記ダッシュボード７上の外側寄り位置に操向操作と刈取装置の上下動を行うパワステレバー３２を設け、該パワステレバ−３２の後側上部にパワステハンドル３７を横向きに架設し、前記ダッシュボ−ド７とサイドボ−ド２４とが交差する隅部においてモニタ−４３を操縦席３の側に向けて設置し、前記操縦席３と該操縦席３前側のフロア２３とダッシュボ−ド７とサイドボ−ド２４との上側を覆うキャビン４を設けるにあたり、該キャビン４の外側部に開閉するドア２５を設け、該キャビン４の前側に前記ダッシュボ−ド７の上面と上方のル−フ２６との間に亘る開閉可能のフロントガラス５を設け、該キャビン４の後側にエンジンル−ム１３上面とル−フ２６との間に亘って開閉可能のリヤガラス２７を設け、該キャビン４の内側部にサイドボ−ド２４上面とル−フ２６との間に亘って開閉可能のサイドガラス２８を設けるものとし、前記フロントガラス７の上端縁部をルーフ２６の前端下部のヒンジ６回りに回動自在に取り付けて、該フロントガラス７の下端縁部をダッシュボード７の上面から前方上部に向けて開き回動できるように構成するにあたり、該フロントガラス５の下端部内面に開閉操作用のグリップ８を取付け、該グリップ８の中央部分を湾曲させて前記パワステハンドル３７とほぼ同じ高さに且つほぼ同じ前後位置に揃えて配置して、該パワステハンドル３７とグリップ８との間に間隔Ｌを形成して該パワステハンドル３７とグリップ８とを操縦者が左右の各々の手で把持し易い関係位置に設置すると共に操縦者がフロア２３上に立ち上った姿勢で前側の刈取装置２部の刈取状態を監視する場合に該グリップ８を容易に把持できるものとし、該グリップ８のサイドガラス２８側端とサイドボード２４との間に伸縮自在のスプリングダンパー４２を設けてフロントガラス５の開閉位置を支持しうる構成としたことを特徴とするコンバインの操縦装置の構成とする。
【０００４】
【発明の効果】
キャビン４のフロントガラス５を開閉するときは、操縦者がグリップ８を把持して、前方へ押すことによって、フロントガラス５は上端部のヒンジ６の回りに前側へ回動されて開かれ、又、後側へ引き戻すことによって閉められる。このフロントガラス５の閉められたときは、グリップ８がダッシュボード７の上方後部に位置するため、操縦者がフロア２３上に立ち上った姿勢で前側の刈取装置２部の刈取状態を監視する場合には、このグリップ８を把持することが容易であり、ダッシュボード７上側に配置される操作装置や計器等の邪魔になり難く、フロントガラス５の開閉も容易に行うことができる。
【０００５】
更に、パワステハンドル３７及びグリップ８は、ダッシュボード７の上方位置に適宜の高さで後部位置に横方向に沿わせて設けるものであるから、操縦者が把持し易く、安定した操縦姿勢として的確な操作を行うことができる。又、フロントガラス５の開閉では、このグリップ８を前方に押したり、後側へ引き戻せばよく、操作を行い易くすることができ、しかもこのグリップ８はダッシュボード７の上方に位置するため、このダッシュボード７上の操作具の操作や、計器３３等の視界の邪魔になり難くすることができる。
【０００６】
【発明の実施の形態】
コンバインは、自脱形態で、車体１前部の刈取装置２で刈取られる穀稈を挾持搬送しながら、脱穀装置９のフィードチエン１０に引継搬送して、穂部を脱穀室１１内へ供給して脱穀させる。車体１は左右一対のクローラ１２を有して走行される。脱穀装置９はこの車体１の一側寄りに搭載され、フィードチエン１０を外側に前後方向に向けている。
【０００７】
この脱穀装置９と反対の側には、前部から後部に亘って、操縦席３、エンジンルーム１３、脱穀された穀粒を収容するグレンタンク１４、排穀縦オーガ１５等を配置搭載し、刈取装置２は、該脱穀装置９の前方から操縦席３側の前方に亘って設けられ、分草体１６、穀稈引起装置１７、刈刃装置１８、及び刈取穀稈搬送装置１９等を有する。この刈取装置２は車体１に対して油圧力によるリフトシリンダ２０の伸縮で上下動される。２１は刈取カバー、２２は排穀横オーガで、縦オーガ１５の回りに旋回できる。
【０００８】
前記操縦席３の前側にはフロア２３を介する前端部にダッシュボード７を設け、このダッシュボード７の穀稈搬送装置１９寄り側を前後方向に沿うサイドボード２４を配置し、各種の操作機構や計器類を配置する。
【０００９】
キャビン４は、これら操縦席３、フロア２３、ダッシュボード７、及びサイドボード２４等の上側を覆い、外側部には開閉するドア２５を有し、前側にはダッシュボード７の上面と上方のルーフ２６との間に亘る開閉可能のフロントガラス５を設け、更に後側にはエンジンルーム１３上面とルーフ２６との間に亘って開閉可能のリヤガラス２７を設け、内側の側面にはサイドボード２４上面とルーフ２６との間に亘って開閉可能のサイドガラス２８を設けて、密閉できるギヤビン４を構成している。２９はドアハンドルである。
【００１０】
前記フロントガラス７は、上端縁部をルーフ２６の前端下部のヒンジ６回りに回動自在にして、下端縁部をダッシュボード７の上面から前方上部に向けて開き回動できる構成としている。
【００１１】
ダッシュボード７は、前側に操縦前壁３０を有し、サイドボード２４は外側の穀稈搬送装置１９の側面に操縦側壁３１を有し、キャビン４のフロア２３上部の周囲を密閉構成としている。これら前部のダッシュボード７と側部のサイドボード２４とは一連の鉤形状に形成され、これらの上面に配置される操作機構や計器類として、ダッシュボード７上には、ドア２５側寄りに操向操作と刈取装置の上下動を行うパワステレバー３２を設け、中央部側には計器３３を配置している。又、サイドパネル２４には、変速レバーや刈取クラッチレバー、脱穀クラッチレバーや、これらのレバーガイド３４，３５，３６等を配置している。
【００１２】
３７は前記パワステレバー３２の後側上部において横向きに架設されるパワステハンドルで、左右両端部をブラケット３８で操縦前壁３０に取付けている。又、フロントガラス５のグリップ８は、左右両端部をブラケット３９，４０でこのフロントガラス５の下端部内面に取付けて、中央部分は前記パワステハンドル３７とほぼ同じ高さ及び前後位置に揃えて位置させるように湾曲させている。これらパワステハンドル２７とグリップ８とは操縦者が左右の各手で把持し易い関係位置に設けられ、両者２７，８間に適宜の間隔Ｌを形成している。
【００１３】
前記グリップ８のサイドガラス２８側端のブラケット４０とサイドボード２４上のブラケット４１との間は伸縮自在のスプリングダンパー４２を設け、フロントガラス５の開閉位置を支持しうる構成としている。４３はモニターで、ダッシュボード７とサイドボード２４との交差隅部において、操縦席３の側に向けて設定される。
【００１４】
前記のように、パワステハンドル３７及びグリップ８は、ダッシュボード７の上方位置に適宜の高さで後部位置に横方向に沿わせて設けるものであるから、操縦者が把持し易く、安定した操縦姿勢として的確な操作を行うことができる。又、フロントガラス５の開閉では、このグリップ８を前方に押したり、後側へ引き戻せばよく、操作を行い易くするもであり、しかもこのグリップ８はダッシュボード７の上方に位置するため、このダッシュボード７上の操作具の操作や、計器３３等の視界の邪魔になり難いものである。
【００１５】
図５において、上例と異なる点は、前記ダッシュボード７部とサイドボード２４部との交差隅部（コーナー部）の外周部に、サイドボード２４を取付けるサイドフレーム４４に門形のコーナステー４５を取付け、このコーナステー４５上面部に前記キャビン４の前横のコーナー部の支持縁４６を支持させて取付けるものである。ダッシュボード７やサイドボード２４等は合成樹脂材で形成されているため、キャビン４を該コーナステー４５で支持することにより、安定した支持構成とすることができる。又、このコーナー部にはモニター４３が設置されるが、このモニター４３も安定した支持構成とすることができる。
【００１６】
前記サイドフレーム４４は、後部が車体１に対して支柱４７で支持されるが、前端部は、ブラケット４８で操縦側壁３１の前部に固定されると共に、支持ブラケット４９で支持して固定する。前記コーナステー４５は、前端部を該ブラケット４８部上面に連結し、後端はサイドフレーム４４の前部側面に連結している。又、このコーナステー４５は、サイドフレーム４４上方適宜の高さ位置に設けられるが、キャビン４の内側に位置させて、上面をモニター４３等を覆うカバー、乃至サイドボード２４等の側縁部５０で被覆すると共に、この側縁部５０を介在させて上側面にキャビン４の外周壁板５２の内側に沿って一体の支持縁４６を支持させる。この支持縁４６にはシール５１を嵌合させて側縁部５０上面に載せる。
【００１７】
又、キャビン４の横側下部の外周壁板５２は、前記サイドボード２４の外周部に嵌合して、下部のサイドフレーム４４上面に支持させると共に、このサイドフレーム４４に一体のブラケット５３にボルト締めで固定することができる。更に、キャビン４のリヤガラス２７の下部に位置される外周壁板５４の下部内周面にはステー５５を設け、このステー５５をエンジンルーム１３を構成するエンジンカバー５６上面に支持させてボルト締めにより固定できる構成とし、又、キャビン４を取外すときは、これら各ブラケット５３やステー５５等におけるボルト締固定を解いて上方へ抜き外すことができる。
【図面の簡単な説明】
【図１】  操縦席部の平面図と、その一部の正面図、側面図。
【図２】  コンバインの左側面図。
【図３】  その右側面図。
【図４】  その正面図。
【図５】  一部別実施例を示すキャビン部の斜視図と、その一部の断面図、斜視図。
【符号の説明】
１  車体
２  刈取装置
３  操縦席
４  キャビン
５  フロントガラス
６  ヒンジ
７  ダッシュボード
８  グリップ
１３ エンジンル−ム
２３ フロア
２４ サイドボード
２５ ドア
２６ ル−フ
２７ リヤガラス
２８ サイドガラス
３２ パワステレバー
３７ パワステハンドル
４２ スプリングダンパー
４３ モニタ−
【図１】
0003663747.tif 000002
【図２】
0003663747.tif 000003
【図３】
0003663747.tif 000004
【図４】
0003663747.tif 000005
【図５】
0003663747.tif 000006